(57)【要約】【課題】限られた本数の専用回線を経由した内線通話の要求に対して、当該内線通話の予約および接続を行える構内交換装置を提供すること。【解決手段】交換機１１０は、所定の外線番号が割り当てられた携帯電話機１からの外線通話を内線通話として処理するための所定本数の専用回線３００と、携帯電話機１からの内線通話の要求を、専用回線３００を介して受け付け、内線通話に要する専用回線３００の本数を判断し、判断された本数より多い専用回線３００が空いている場合に内線通話の接続を確立し、空いていない場合に内線通話の要求および当該内線通話に要する専用回線３００の本数を記憶し、専用回線３００の使用状況を監視して当該専用回線の空き本数を検出し、専用回線３００の空き本数が記憶された本数より多くなったと判定されると、記憶された内線通話の要求に基づき、当該内線通話の発信端末および着信端末のそれぞれへ、接続要求を通知する。【選択図】図１
2010177835.tif 000002
【特許請求の範囲】
【請求項１】
複数の内線端末および複数の外線端末を収容する構内交換装置であって、
公衆回線網に接続し、所定の外線番号が割り当てられた特定の内線端末からの外線通話、または、当該特定の内線端末への外線通話を内線通話として処理するための所定本数の専用回線と、
前記特定の内線端末からの前記内線通話の要求、または、前記特定の内線端末への前記内線通話の要求を、前記専用回線を介して受け付ける受付手段と、
前記受付手段により受け付けた前記内線通話に要する前記専用回線の本数を判断する判断手段と、
前記判断手段により判断された本数より多い前記専用回線が空いている場合に、前記専用回線を介した前記内線通話の接続を確立する接続手段と、
前記判断手段により判断された本数より多い前記専用回線が空いていない場合に、前記内線通話の要求、および当該内線通話に要する前記専用回線の本数を記憶する記憶手段と、
前記専用回線の使用状況を監視し、当該専用回線の空き本数を検出する検出手段と、を備え、
前記検出手段により、前記専用回線の空き本数が前記記憶手段に記憶された本数より多くなったと判定されると、前記接続手段は、前記記憶手段に記憶された内線通話の要求に基づき、当該内線通話の発信端末および着信端末のそれぞれへ、接続要求を通知することを特徴とする構内交換装置。
【請求項２】
前記接続手段は、前記判断手段により判断された本数より多い前記専用回線が空いている場合に、前記受付手段が前記特定の内線端末からの内線通話の要求、または、前記特定の内線端末への前記内線通話の要求を受け付けるための１回線を残して前記内線通話の接続を確立することを特徴とする請求項１に記載の構内交換装置。
【発明の詳細な説明】
【技術分野】
【０００１】
本発明は、内線通話を制御する構内交換装置に関する。
【背景技術】
【０００２】
従来、構内の電話交換機システムでは、キャンプ・オン・サービスと呼ばれるサービスが提供されている。キャンプ・オン・サービスとは、相手が話中のとき、発呼者あるいは中継台扱者がキャンプ・オン操作をすることにより、相手の状態を監視し、空きになると自動的に相手を呼び出して発呼者に接続するサービスである（例えば、特許文献１参照）。このサービスは、交換機に通話の予約情報を記憶することにより実現される。
【０００３】
また、交換機では、構内専用の内線番号によって識別される電話機間での内線通話を制御する。さらに、近年では、屋外で移動しながら通話可能なＰＨＳ（Ｐｅｒｓｏｎａｌ  Ｈａｎｄｙ  ｐｈｏｎｅ  Ｓｙｓｔｅｍ）等の携帯電話機が基地局に接続し、専用回線を経由して構内の交換機へ接続することにより、外部の通信システムを利用する携帯電話機を、あたかも構内の電話機とみなして内線通話を可能とするサービスも提供されている。
【先行技術文献】
【特許文献】
【０００４】
【特許文献１】特公昭６４−７７１４号公報
【発明の概要】
【発明が解決しようとする課題】
【０００５】
ここで、上述のキャンプ・オン・サービスを実現する交換機システムでは、交換機へ物理的に接続してある電話機から発呼を行うため、必ず交換機へ接続することができる。ところが、屋外にある携帯電話機からの内線通話要求の場合、専用回線を経由して交換機へ接続するため、専用回線が空いていなければ、内線通話要求の相手と接続することができない。その結果、交換機は、相手の状況を監視することもできず、内線通話の接続を確立することができない。
【０００６】
本発明は、限られた本数の専用回線を経由した内線通話の要求に対して、当該内線通話の予約および接続を行える構内交換装置を提供することを目的とする。
【課題を解決するための手段】
【０００７】
本発明に係る構内交換装置は、複数の内線端末および複数の外線端末を収容する構内交換装置であって、公衆回線網に接続し、所定の外線番号が割り当てられた特定の内線端末からの外線通話、または、当該特定の内線端末への外線通話を内線通話として処理するための所定本数の専用回線と、前記特定の内線端末からの前記内線通話の要求、または、前記特定の内線端末への前記内線通話の要求を、前記専用回線を介して受け付ける受付手段と、前記受付手段により受け付けた前記内線通話に要する前記専用回線の本数を判断する判断手段と、前記判断手段により判断された本数より多い前記専用回線が空いている場合に、前記専用回線を介した前記内線通話の接続を確立する接続手段と、前記判断手段により判断された本数より多い前記専用回線が空いていない場合に、前記内線通話の要求、および当該内線通話に要する前記専用回線の本数を記憶する記憶手段と、前記専用回線の使用状況を監視し、当該専用回線の空き本数を検出する検出手段と、を備え、前記検出手段により、前記専用回線の空き本数が前記記憶手段に記憶された本数より多くなったと判定されると、前記接続手段は、前記記憶手段に記憶された内線通話の要求に基づき、当該内線通話の発信端末および着信端末のそれぞれへ、接続要求を通知することを特徴とする。
【０００８】
また、前記接続手段は、前記判断手段により判断された本数より多い前記専用回線が空いている場合に、前記受付手段が前記特定の内線端末からの内線通話の要求、または、前記特定の内線端末への前記内線通話の要求を受け付けるための１回線を残して前記内線通話の接続を確立することが好ましい。
【発明の効果】
【０００９】
本発明によれば、限られた本数の専用回線を経由した内線通話の要求に対して、当該内線通話の予約および接続を行うことができる。
【図面の簡単な説明】
【００１０】
【図１】本発明の実施形態に係る電話システムの構成を示すブロック図である。
【図２】本発明の実施形態に係る携帯電話機の外観斜視図である。
【図３】本発明の実施形態に係る電話システムの機能を示すブロック図である。
【図４】本発明の実施形態で制御可能な内線通話の種類を示す図である。
【図５】本発明の実施形態に係る交換機のＣＰＵによる内線通話の制御方法を例示する図である。
【図６】本発明の実施形態に係る交換機におけるＣＰＵの処理を示すフローチャートである。
【発明を実施するための形態】
【００１１】
以下、本発明の好適な実施形態の一例について説明する。
図１は、本実施形態に係る電話システムの構成を示すブロック図である。この電話システムは、交換機１１０（構内交換装置）を含む構内通信システム１００と、接続装置２１０を含む外部通信システム２００と、交換機１１０および接続装置２１０を接続する専用回線３００と、を備える。
【００１２】
交換機１１０は、内線基地局１２０を介して無線により携帯電話機１と接続可能である。また、交換機１１０には、複数の固定電話機１３０が接続されている。そして、交換機１１０は、携帯電話機１および固定電話機１３０を含む電話端末を識別する内線番号を管理し、電話端末間での内線通話を制御する。
【００１３】
接続装置２１０は、外部ネットワーク２３０（公衆回線網）および基地局２２０を介して、構内から外部へ持ち出された携帯電話機１と接続可能である。接続装置２１０は、携帯電話機１の電話番号を管理し、携帯電話機１間での通話を制御する。
【００１４】
さらに、交換機１１０および接続装置２１０は、所定の本数の専用回線３００で接続されている。そして、交換機１１０は、接続装置２１０を介して、外部通信システム２００内の携帯電話機１からの内線要求を受信することができる。これにより、構内の電話機と外部の携帯電話機１との間、あるいは、外部の携帯電話機１間で、あたかも両者が構内の電話端末であるかのように内線通話を行うことができる。
【００１５】
本実施形態では、電話端末（内線端末）の一例として、携帯電話機１を説明する。なお、本発明の電話端末はこれには限られず、例えば、ＰＨＳやＰＤＡ（Ｐｅｒｓｏｎａｌ  Ｄｉｇｉｔａｌ  Ａｓｓｉｓｔａｎｔ）、通話機能を備えたパーソナルコンピュータ等の様々な電話端末に適用可能である。
【００１６】
図２は、本実施形態に係る携帯電話機１（電話端末）の外観斜視図である。なお、図２は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１７】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１８】
また、表示部側筐体３は、表面部２０に、各種情報を表示するための表示部２１と、通話の相手側の音声を出力するレシーバ２２と、を備えて構成されている。
【００１９】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２０】
図３は、本実施形態に係る電話システムの機能を示すブロック図である。交換機１１０は、ＣＰＵ１１１（判断手段、検出手段）と、通信部１１２（受付手段、接続手段）と、メモリ１１３（記憶手段）と、を備える。接続装置２１０は、ＣＰＵ２１１と、通信部２１２と、メモリ２１３と、を備える。また、携帯電話機１は、操作部１１と、表示部２１と、ＣＰＵ３０と、通信部３１と、音声制御部３２と、メモリ３３と、を備える。
【００２１】
交換機１１０において、ＣＰＵ１１１は、交換機１１０の全体を制御しており、例えば通信部１１２に対して所定の制御を行う。このとき、ＣＰＵ１１１は、メモリ１１３を制御し、各種プログラムおよびデータの読み出し、およびデータの書き込みを行う。
【００２２】
通信部１１２は、ＣＰＵ１１１からの制御信号に基づいて、接続装置２１０または携帯電話機１との通信を行う。具体的には、通信部１１２は、専用回線３００を介して接続装置２１０と通信し、内線基地局１２０を介して、携帯電話機１と所定の周波数帯（例えば、１．９ＧＨｚ帯や１．８ＧＨｚ帯）の無線にて通信する。
【００２３】
メモリ１１３は、ＣＰＵ１１１による演算処理に利用される。また、内線通話の管理情報として、電話端末（携帯電話機１または固定電話機１３０）の構内通信システム１００における内線番号やユーザ名、電話端末への接続経路情報や、外部通信システム２００における外線番号等を関連付けて記憶する。
【００２４】
接続装置２１０において、ＣＰＵ２１１は、接続装置２１０の全体を制御しており、例えば通信部２１２に対して所定の制御を行う。このとき、ＣＰＵ２１１は、メモリ２１３を制御し、各種プログラムおよびデータの読み出し、およびデータの書き込みを行う。
【００２５】
通信部２１２は、ＣＰＵ２１１からの制御信号に基づいて、交換機１１０または携帯電話機１との通信を行う。具体的には、通信部２１２は、専用回線３００を介して交換機１１０と通信し、外部ネットワーク２３０および基地局２２０を介して、携帯電話機１と所定の周波数帯（例えば、１．９ＧＨｚ帯や１．８ＧＨｚ帯）の無線にて通信する。
【００２６】
メモリ２１３は、ＣＰＵ２１１による演算処理に利用される。また、外部通信システム２００における外線通話の管理情報の他、通信部２１２が受け付けた外線通話を交換機１１０へ内線通話要求として転送するための識別情報や接続経路情報等を記憶する。
【００２７】
ＣＰＵ３０は、携帯電話機１の全体を制御しており、例えば、表示部２１、通信部３１、音声制御部３２等に対して所定の制御を行う。また、ＣＰＵ３０は、操作部１１等から入力を受け付けて、各種処理を実行する。そして、ＣＰＵ３０は、処理実行の際には、メモリ３３を制御し、各種プログラムおよびデータの読み出し、およびデータの書き込みを行う。
【００２８】
表示部２１は、ＣＰＵ３０の制御に従って、所定の画像処理を行う。そして、処理後の画像データをフレームメモリに蓄え、所定のタイミングで画面出力する。
【００２９】
通信部３１は、所定の使用周波数帯（例えば、１．９ＧＨｚ帯や１．８ＧＨｚ帯）で外部装置（基地局２２０または内線基地局１２０）と通信を行う。そして、通信部３１は、外部装置より受信した信号を復調処理し、処理後の信号をＣＰＵ３０に供給し、また、ＣＰＵ３０から供給された信号を変調処理し、外部装置へ送信する。
【００３０】
音声制御部３２は、ＣＰＵ３０の制御に従って、通信部３１から供給された信号に対して所定の音声処理を行い、処理後の信号をレシーバ２２（図２参照）に出力する。レシーバ２２は、音声制御部３２から供給された信号を外部に出力する。なお、この信号は、レシーバ２２に代えて、または、レシーバ２２と共に、スピーカ（図示せず）から出力されるとしてもよい。
【００３１】
また、音声制御部３２は、ＣＰＵ３０の制御に従って、マイク１２（図２参照）から入力された信号を処理し、処理後の信号を通信部３１に出力する。通信部３１は、音声制御部３２から供給された信号に所定の処理を行い、処理後の信号を外部装置へ出力する。
【００３２】
メモリ３３は、例えば、ワーキングメモリを含み、ＣＰＵ３０による演算処理に利用される。なお、メモリ３３は、着脱可能な外部メモリを兼ねていてもよい。
【００３３】
以下、交換機１１０による内線通話の制御方法を説明する。
図４は、本実施形態で制御可能な内線通話の種類を示す図である。
【００３４】
図４（ａ）では、構内通信システム１００内（内線基地局１２０の通信エリア内）にある携帯電話機１ａからの内線要求に応じて、同様に構内通信システム１００内にある携帯電話機１ｂとの内線通話の接続を確立している。
【００３５】
図４（ｂ）では、構内通信システム１００内にある携帯電話機１ａからの内線要求に応じて、外部通信システム２００内（基地局２２０の通信エリア内）にある携帯電話機１ｂとの内線通話の接続を確立している。この場合、交換機１１０は、専用回線３００の１本を介して接続装置２１０へ通話要求を送信する。接続装置２１０は、この通話要求に応じて、携帯電話機１ｂを呼び出し接続する。
【００３６】
なお、交換機１１０は、発呼者である携帯電話機１ａのユーザ名を含めて、通話要求を接続装置２１０へ送信してもよい。このユーザ名は、構内通信システム１００において着呼者の携帯電話機１ｂに表示させるため、予めメモリ１１３に記憶されているものである。このことにより、外部通信システム２００内で着信を受けた携帯電話機１ｂにおいても、構内通信システム１００内と同様に、発呼者のユーザ名が表示される。
【００３７】
図４（ｃ）では、外部通信システム２００内にある携帯電話機１ａからの内線要求に応じて、構内通信システム１００内にある携帯電話機１ｂとの内線通話の接続を確立している。この場合、要求を受けた接続装置２１０は、専用回線３００の１本を介して交換機１１０へ通話要求を送信する。交換機１１０は、この通話要求に応じて、携帯電話機１ｂを呼び出し接続する。
【００３８】
図４（ｄ）では、外部通信システム２００内にある携帯電話機１ａからの内線要求に応じて、同様に外部通信システム２００内にある携帯電話機１ｂとの内線通話の接続を確立している。この場合、要求を受けた接続装置２１０は、専用回線３００の１本を介して交換機１１０へ通話要求を送信する。交換機１１０は、この通話要求に応じて、携帯電話機１ｂが外部通信システム２００内にあると判断すると、専用回線３００の１本を介して接続装置２１０へさらに通話要求を送信する。そして、接続装置２１０は、携帯電話機１ｂを呼び出して接続する。
【００３９】
このように、発呼側の携帯電話機１ａまたは着呼側の携帯電話機１ｂが外部通信システム２００内にあっても、交換機１１０を介して接続を確立することにより、構内通信システム１００内と同様の内線通話を実現することができる。
【００４０】
図５は、本実施形態に係る交換機１１０のＣＰＵ１１１による内線通話の制御方法を例示する図である。この例では、外部通信システム２００内の携帯電話機１（端末Ａ）から、外部通信システム２００内の携帯電話機１（端末Ｆ）へ、内線を掛けた場合を示している。なお、専用回線３００は３本設けられている。
【００４１】
また、端末Ａからの内線通話の要求時には、端末Ｂと端末Ｃ、端末Ｄと端末Ｅが、それぞれ通話中であり、各１本の専用回線３００を使用している。
【００４２】
端末Ａからの内線通話要求は、交換機１１０へ送信される。このとき、ＣＰＵ１１１は、通話に要する２本および制御用（通話要求の受信用）の１本の専用回線３００が空いていないと判断すると、端末Ａから端末Ｆへの内線通話要求を示すデータをメモリ１１３に記憶し、内線通話の予約を行う（図５（ａ））。
【００４３】
ここで、ＣＰＵ１１１は、常に、あるいは定期的に、専用回線３００の使用状況を監視しており、空き本数を検出する。
【００４４】
その後、端末Ｄと端末Ｅとの通話が終了し、専用回線３００の空きが１本増えると、ＣＰＵ１１１は、予約されている内線通話が可能か否かを判定する。具体的には、端末Ｆと接続するために専用回線３００を使用する（端末Ｆが外部通信システム２００内にある）場合には、制御用以外に２本の専用回線３００が必要である。一方、端末Ｆと接続するために専用回線３００を使用しない（端末Ｆが構内通信システム１００内にある）場合には、制御用以外に１本の専用回線３００が必要である。
【００４５】
ＣＰＵ１１１は、内線基地局１２０を介して端末Ｆへの接続を試みた場合に、端末Ｆの存在を確認できなければ、端末Ｆが外部通信システム２００内にあると判定できる。なお、ＣＰＵ１１１は、接続装置２１０および基地局２２０を介して端末Ｆへの接続を試み、外部通信システム２００内にあるか否かを判定してもよい。
【００４６】
図５（ｂ）の例では、端末Ｆは外部通信システム２００内にあるので、ＣＰＵ１１１は、空いている２本の専用回線３００から制御用の１本を除くと、予約されている内線通話の接続を確立させることができない。
【００４７】
さらにその後、端末ＢとＣとの通話が終了し、専用回線３００の空きが１本増えると、再びＣＰＵ１１１は、予約されている内線通話が可能か否かを判定する。このときには、専用回線３００は３本空いており、制御用の１本を除いても、予約されている内線通話が可能である。したがって、ＣＰＵ１１１は、接続装置２１０を介して端末Ａおよび端末Ｆを呼び出し、内線通話の接続を確立する。
【００４８】
図６は、本実施形態に係る交換機１１０におけるＣＰＵ１１１の処理を示すフローチャートである。
【００４９】
ステップＳ１では、ＣＰＵ１１１は、内線基地局１２０を介して、または接続装置２１０から専用回線３００を介して、内線通話の要求を受け付ける。
【００５０】
ステップＳ２では、ＣＰＵ１１１は、ステップＳ１で受け付けた内線通話要求の相手（着呼側端末）が構内通信システム１００内に在席しているか否かを確認する。具体的には、前述（図５）のように、構内通信システム１００内にて内線基地局１２０から接続を試みることにより、着呼側端末の存在を確認できる。
【００５１】
ステップＳ３では、ＣＰＵ１１１は、ステップＳ１で受け付けた内線通話要求に対して、専用回線３００の必要本数を判断する。具体的には、内（構内通信システム１００内）と内との通話では０本、内と外（外部通信システム２００内）との通話では１本、外と外との通話では２本の専用回線３００が必要となる。本実施形態では、他の端末からの要求を受け付けるために、さらに制御用の１本を確保する。
【００５２】
ステップＳ４では、ＣＰＵ１１１は、ステップＳ３で判断した必要本数の専用回線３００が空いているか否かを判定する。この判定がＹＥＳの場合はステップＳ８に移り、判定がＮＯの場合はステップＳ５に移る。
【００５３】
ステップＳ５では、ＣＰＵ１１１は、専用回線３００の空きが足りず、ステップＳ１で受け付けた内線通話の接続を確立することができないので、この内線通話の要求を予約情報としてメモリ１１３に記憶する。
【００５４】
ステップＳ６では、ＣＰＵ１１１は、専用回線３００の使用状況を監視し、使用可能な空き本数を取得する。
【００５５】
ステップＳ７では、ＣＰＵ１１１は、ステップＳ６で取得した専用回線３００の空き本数が前回取得したときよりも増えたか否かを判定する。この判定がＹＥＳの場合は、予約された内線通話が可能となった可能性があるので、ステップＳ２に戻る。一方、判定がＮＯの場合は、空き本数が変わらず、依然として予約された内線通話ができないので、ステップＳ６に戻って、専用回線３００の使用状況の監視を継続する。
【００５６】
ステップＳ８では、ＣＰＵ１１１は、予約されている内線通話要求の優先順位が１番か否かを判定する。この優先順位は、対象の端末に応じて設定されるものであり、例えば、構内通信システム１００内の内線通話を優先するように設定されてもよい。そして、判定がＹＥＳの場合はステップＳ９に移り、判定がＮＯの場合はステップＳ５に移る。
【００５７】
ステップＳ９では、ＣＰＵ１１１は、空いている専用回線３００から必要本数を適宜選択し、要求された内線通話の接続を確立する。
【００５８】
このように、本実施形態によれば、限られた本数の専用回線３００を経由した内線通話の要求に対して、当該内線通話の予約および接続を行うことができる。さらに、本実施形態によれば、内線通話の要求を受け付けるために制御用の１本を残して接続を行うので、専用回線３００が全て使用中となって内線通話の予約ができない状況を抑制することができる。
【００５９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６０】
上述の実施形態では、携帯電話機１におけるユーザインタフェースについては言及していないが、発呼や情報報知の手段として、様々な形態を採用することができる。
【００６１】
例えば、携帯電話機１は、外部通信システム２００を介した内線通話要求の際、着呼側の内線番号（例えば「１０２」）に所定の番号（例えば「９９９」）を付加した番号入力（例えば「９９９＃１０２」）を操作部１１から受け付けることにより、接続装置２１０に対して内線通話要求を指示することとしてよい。
【００６２】
また、ユーザの使い勝手を向上させるため、表示部２１に操作ガイドを表示することにより入力を受け付け、データ通信により接続装置２１０に対して内線予約等の指示信号を送信してもよい。このことによれば、交換機１１０とのデータの送受信量を低減させられる。その結果、専用回線３００の占有時間を短縮できるので、専用回線３００が使用中のために通話要求を受けられない事態を抑制することができる。
【００６３】
さらに、ユーザに対する各種報知手段としては、表示部２１やレシーバ２２等が利用される。例えば、通話要求に対して接続ができなかった場合には、「内線通話が塞がっています」といった表示や音声出力が望ましい。
【００６４】
また、専用回線３００が空いて発呼側および着呼側を呼び出した際、一方が応答し、他方が応答しない場合には、「通話予約接続中です」といった表示や音声出力が望ましい。さらに、一定時間が経過しても両者が応答しない場合には、交換機１１０は、呼び出しを中断し、所定時間の経過後に、再度呼び出し処理を行うこととしてよい。
【００６５】
携帯電話機１は、内線通話の要求の他、交換機１１０から各種情報の取得要求を行ってもよい。具体的には、所定の番号（例えば「８８８」）の入力を受け付けて発呼することにより、例えば、専用回線３００の使用状況（空き本数）や、特定の端末の状況（通話状況、在席の有無）等を交換機１１０より取得することとしてもよい。さらに、内線通話の要求と同様に、表示部２１に操作ガイドを表示することにより入力を受け付け、データ通信により交換機１１０へ情報取得の指示信号を送信してもよい。
【００６６】
上述の実施形態において、内線接続の優先順位は予め設定されていることとしたが、これには限られない。例えば、内線通話を要求する際に、携帯電話機１は、着呼側の内線番号と共に優先度を示す入力を受け付けて送信してもよい。これにより、例えば緊急の要件の場合に優先的に通話を可能とする等、利便性を向上させることができる。
【符号の説明】
【００６７】
１、１ａ、１ｂ  携帯電話機（内線端末）
１００  構内通信システム
１１０  交換機（構内交換装置）
１１１  ＣＰＵ（判断手段、検出手段）
１１２  通信部（受付手段、接続手段）
１１３  メモリ（記憶手段）
１２０  内線基地局
２００  外部通信システム
２１０  接続装置
２２０  基地局
２３０  外部ネットワーク（公衆回線網）
３００  専用回線
【図１】
2010177835.tif 000003
【図２】
2010177835.tif 000004
【図３】
2010177835.tif 000005
【図４】
2010177835.tif 000006
【図５】
2010177835.tif 000007
【図６】
2010177835.tif 000008